(57)【要約】【課題】キーボードを縦横方向に立掛けて収納し得るキーボードスタンドを提供する【解決手段】キーボード１８が設置される基台部１２に、該キーボード１８を後方へ傾斜させた状態で立設支持する背面部１４が左右一対取付けられる。更に背面部１４の各々上方部奥方を連結する背面連結部１６が設けられる。基台部１２と一対の背面部１４の接合部のキーボードスタンド収納側に夫々スペーサー２５が設置され、キーボードのキーと背面部１４の接触を防止する。【選択図】図１
2005316929.tif 000002
【特許請求の範囲】
【請求項１】
キーボード（１８）が設置される基台部（１２）と、前記基台部（１２）に取付けられて立ち上がり、キーボード（１８）を後方へ傾斜させた状態で立設支持する背面部（１４、１４）と、前記背面部（１４，１４）の上方端部を連結し転倒防止する背面連結部（１６）とから構成することを特徴とするキーボードスタンド。
【請求項２】
前記基台部（１２）と前記背面部（１４，１４）の接合部の前記キーボード（１８）を設置する側に、キーボードのキーを接触防止のためのスペーサー（２５，２５）が形成されている請求項１記載のキーボードスタンド。
【発明の詳細な説明】
【技術分野】
【０００１】  この発明は、コンピュータの入力装置であるキーボードを収納するキーボードスタンドに関し、更に詳細にはキーボードの不使用時において、これを立掛けた状態で収納し、作業スペースを効率的に確保し得るキーボードスタンドに関するものである。
【背景技術】
【０００２】  昨今のコンピュータの普及は目覚しいものがあり会社のなかでは、事務作業の効率化やインターネットを通じて支店間や会社間の情報のやり取りを、また個人においては趣味やショッピング等でインターネットの活用、またデジタルカメラなどでデータの保存。学校ではメールでの提出物のやりとりや研究課題のインターネットを通じての検索等なくてはならない道具として広く使われている。【０００３】  このように普及しているコンピュータではあるが、このコンピュータとキーボードの関係はほとんど変わらず、入力装置としてのキーボードは操作していないときは机上の中央でほとんどのスペースを占有しており、これ以外の作業を行う場合はキーボードは邪魔になっていた。【０００４】  このようなキーボードの問題を解消するために、キーボードを収納するキーボードスタンドが提案されている。例えば、特許文献１に示されるキーボードスタンドは基台部と背面部とキーボードを抱持する一対の側方支持部からなるものである。
【特許文献１】  特願２００４−１０４７４２
【発明の開示】
【発明が解決しようとする課題】
【０００５】  これらの問題を解消すべく、キーボードを立てかけて収納し机上のスペースを確保するキーボードスタンドであったが、キーボードを収納する際、或いは取り出す際にキーボードが抱持部に少しひかかりやすいという難点があった。また、キーボードの転倒防止に抱持部を有するためにキーボードの幅より大きくして出し入れを容易にしようとした。
【課題を解決するための手段】
【０００６】キーボードが設置される基台部と、
前記基台部に取付けられて立ち上がり、キーボードを後方へ傾斜させた状態で立設支持する背面部と、
前記背面部の上方端部を連結した背面連結部と、
前記基台部と前記背面部の接合部のキーボードスタンド収納側に取り付けたスペーサーから構成することを特徴とするキーボードスタンド。
【発明の効果】
【０００７】本発明に係るキーボードスタンドによれば、背面部の上部手前側が開放されており、こちら側より出し入れ収納するため、スムーズに出し入れ出来て操作性が良い。【０００８】キーボードの前記抱持部がないので、キーボードを収納する際キーボードの幅より余分に大きくする必要がなく、以前のキーボードスタンドよりは収納部の幅を小さく出来るのでコンパクトになる【０００９】キーボードを収納したとき、コンピュータが作動中においてもキーボードの下部のキーが本キーボードスタンドの背面部下部に接触することがないようにキー接触防止部用のスペーサーを取り付け、コンピュータの誤作動を起こさないようにしている。
【発明を実施するための最良の形態】
【００１０】  次に、本発明に係るキーボードスタンドにつき、好適な実施例を挙げて、添付図面を参照しながら以下説明する。本実施例に係るキーボードスタンド１０は、図１（Ａ）（Ｂ）の斜視図が示すように、キーボード１８が設置される基台部１２と、該キーボード１８の後方から支持する一対の背面部１４、１４と、該背面部１４、１４同士の上部を連結部する１６とから基本的に構成されている。【００１１】  前記基台部１２は、キーボード１８を安定的に設置し得るように一定の面積と強度を備える部材であり、前記背面部１４、１４とのキーボード収納側の接合部には、スペーサー２５、２５を設けてている。【００１２】  更に前記基台部１２の突出し部には、所要形状の補強版２２が備えられ、該基台部１２と背面部１４との接合を増強せしめている。なお本実施例においては、前記基台部１２の縦方向の長さ寸法Ｌ（図２参照）が、約１１０ｍｍに設定されている。この寸法Ｌについてはスペース確保のため小さいほうが好ましいが、一般的な大きさ（幅約４００ｍｍ×奥行約１７０ｍｍ×厚み約２５ｍｍ）のキーボードの安定的な収納を達成するためには、１００ｍｍ以上が好ましい。【００１３】  前記基台部１２に取付けられる一対の背面部１４は、図２の側面図に示すように、該基台部１２となす角θが、８５〜８９度になるよう後方へ向けて傾倒して立設され、キーボード１８を立掛けた際に後方へ傾斜して安定的な状態で支持し得るよう構成されている。また前記背面部１４，１４の基台部１２への取付け位置Ｐ、Ｐは、本実施例では基台部両端部から各々内側へ約２５ｍｍに設定している。この寸法Ｌ２はスペース確保のため小さいほうが好ましいが、キーボードの後方への転倒を考慮すると２０〜５０ｍｍ以上が好ましい。【００１４】  キーボードを収納する前記基台部１２の寸法Ｌ１は約５０〜８０ｍｍが好ましい。５０ｍｍより小さいとキーボードの出し入れがしにくくなり、８０ｍｍより大きいとキーボードが後方へ傾斜しすぎて転倒を起こし易くなる。本実施例では６０ｍｍに設定してある。【００１５】  前記基台部１２に取付けられるキーボードのキー接触防止用のスペーサー２５は図３に示すように高さ６〜１５ｍｍ、幅５〜１０ｍｍが好ましい。高さが６ｍｍに満たないと傾斜にならなくなるので、６ｍｍ以上必要である。幅は５ｍｍに満たないときキーボードのキーが近い方の背面部１４に接触する可能性があるので、５ｍｍ以上が必要となる。本実施例では高さ約１０ｍｍ、幅８ｍｍの三角形の形状で、これによりキーボードを収納したときにキーボードのキーが直接前記背面部１４へ接触しない距離に保たれるようになっている。また、この形状を三角形にすることにより、キーボードを背面部ギリギリに置いても自重で三角形の斜面を滑り落ち、キーが接触しないスペースを確保することができる。【００１６】  なお図５の正面図に示す如く、背面部１４の両側部を所要形状だけ切り落とすことで、キーボードスタンド１０の軽量化およびデザイン性の向上を図り得る。この切り落としの形状は殊に限定されず、前記キーボード１８を立掛けた際に、その自重によって撓まない程度の強度が確保されれば、如何なる形状でも採用可能である。【００１７】前記背面部���４およびこれが取付けられる基台部１２の幅（図４における左右方向の寸法）は、本実施例では１９０ｍｍに設定されているが、キーボードの一般的な奥行が約１７０ｍｍなのでこの奥行以上の寸法があれば、安定して設置できる。また、前記背面部１４の片方の上部が開放されているため背面部上部１４ｂの横方向の寸法はキーボードの奥行と同じかこれ以上あればよいが、キーボードをラフに収納をして前記基台部１２より手前側、または奥にはみ出すことを想定して、この寸法に余裕をもたせて、本実施例では２１０ｍｍに設定されている。【００１８】  このような数値とすることで、一般に市場で販売されている複数種類のキーボードの大部分に対して、汎用的に対応するものとなっている。そして前記背面部１４の高さ（図５における上下方向の寸法）については、前記キーボード１８を縦方向に立掛けた状態においても、安定的に収納可能なように標準的なキーボードの幅寸法（４００ｍｍ）の１／２程度である１９０〜２３０ｍｍに設定されている。本実施例では２００ｍｍに設定されている。この寸法は、前記キーボード１８を縦方向に立掛けた状態で安定的に収納できる数値であれば殊に限定はされず、例えば前記基台部１２の重量を大きくすることで小さい数値とし得る。【００１９】  前記背面部１４、１４が一対にし同じ角度で傾斜しているためキーボードのキーを上面に置く必要はあるが、どちら側にも置けるので収納性がよくまた、キーボードに誤って触れた場合でも反対側の背面部１４があるため、これが転倒防止の役目を果たして倒れにくくなっている。【００２０】  前記背面部１４，１４を連結している連結部１６は、背面部１４同士を連結することにより構造的に強度を高める目的を持つ。また、キーボードを収納時に手前から奥へ行き過ぎて、キーボードがはみ出し過ぎないようにストッパーの役目も果たしている。本実施例では連結部の高さを２０ｍｍに設定し、キーボードを横方向に設置する場合にでも収納し易いように前記背面部１４ｂの高さ（図５における上下方向の寸法）よりも短くしている。
【図面の簡単な説明】
【００２１】
【図１】（Ａ）は、本発明の好適な実施例に係るキーボードスタンドの上部開口部を正面にしてキーボードを右に立掛けた状態を示す斜視図であり、（Ｂ）は逆にキーボードを左側に立掛けた状態を示す斜視図である。
【図２】実施例に係るキーボードスタンドの側面図である。
【図３】実施例に係るキーボードスタンド下部側面図でスペーサーにキーボード下部がかかり、キーボードのキーと背面部との接触を防止する図である。
【図４】実施例に係るキーボードスタンドの平面図である。
【図５】実施例に係るキーボードスタンドにキーボードを横方向に立掛けた状態を示す正面図である。
【図６】実施例に係るキーボードスタンドに対して、キーボードを縦方向に立掛けて収納するに際して、該キーボードを収納させる手順の一例を示す状態図である。
【符号の説明】
【００２２】  １０  キーボードスタンド
１２  基台部
１４  背面部
１６  背面連結部
１８  キーボード
２５  スペーサー
【図１】
2005316929.tif 000003
【図２】
2005316929.tif 000004
【図３】
2005316929.tif 000005
【図４】
2005316929.tif 000006
【図５】
2005316929.tif 000007
【図６】
2005316929.tif 000008